(57)【要約】【課題】魚介類の爪の機能を維持するために用意するアーム及び爪先の交換部品の数を低減する。【解決手段】魚介類採取具の爪であって、基部１１から先端部１５に向けて第１方向に延び、基部１１が魚介類採取具に取り付けられるアーム１０と、基部２１から先端部２５に向けて第２方向に延び、先端部２５で海底の土壌を掘り起こす爪先２０と、アーム１０の先端部１５及び爪先２０の基部２１を互いに固定して連結する連結板３０とを含み、アーム１０及び爪先２０は弾性金属線材からなり、アーム１０の先端部１５を含む所定部分を切り離して爪先２０に転用することができ、アーム１０の先端部１５を含む所定部分は、爪先２０と同一の形状を有し、アーム１０において基部１１の緩衝部１３を含む部分から切り離した先端部１５を含む所定部分は爪先２０を形成する。【選択図】図３
2020130004.tif 000002
【特許請求の範囲】
【請求項１】
魚介類採取具の爪であって、
基部から先端部に向けて第１方向に延び、前記基部が魚介類採取具に取り付けられるアームと、
基部から先端部に向けて第２方向に延び、前記先端部で海底の土壌を掘り起こす爪先と、
前記アームの先端部及び前記爪先の基部を互いに固定して連結する連結部材と
を含み、
前記アーム及び前記爪先は弾性金属線材からなり、前記アームの先端部を含む所定部分を切り離して前記爪先に転用することができる魚介類採取具の爪。
【請求項２】
前記アームの先端部を含む所定部分は、前記爪先と同一の形状を有する請求項１に記載の魚介類採取具の爪。
【請求項３】
前記アームにおいて前記基部を含む部分から切り離した先端部を含む所定部分は前記爪先を形成する請求項１又は２に記載の魚介類採取具の爪。
【請求項４】
前記第１方向及び前記第２方向は、互いに略９０°の角度をなす請求項１から３のいずれかに記載の魚介類採取具の爪。
【請求項５】
前記アームの基部には、魚介類採取具に取り付けるための第１曲げ部が形成された請求項１から４のいずれかに記載の魚介類採取具の爪。
【請求項６】
前記アームの基部には、前記第１曲げ部から前記第１方向に隣接して前記第１方向及び前記第２方向を含む平面内におけるこの魚介類採取具の角度の変動を緩衝する緩衝部が形成された請求項５に記載の魚介類採取具の爪。
【請求項７】
前記緩衝部は、前記アームを構成する弾性金属線材がコイル状に形成されてなる請求項６に記載の魚介類採取具の爪。
【請求項８】
前記アームの先端部の端部から所定長さの部分は所定角度にわたり曲げられた第２曲げ部を形成し、前記爪先の基部の端部から前記所定長さの部分は前記所定角度にわたり曲げられた第３曲げ部を形成する請求項１から７のいずれか１項に記載の魚介類採取具の爪。
【請求項９】
前記第２曲げ部及び前記第３曲げ部は、互いに突き合わせられて、前記第１方向及び前記第２方向を含む平面内において前記アームの基部及び前記爪先の先端部から離れる方向に平行に延びる突合せ部を形成する請求項８に記載の魚介類採取具の爪。
【請求項１０】
前記第２曲げ部及び前記第３曲げ部は、それぞれ略４５°の角度にわたり曲げられた請求項９に記載の魚介類採取具の爪。
【請求項１１】
前記連結部材は、前記アームの先端部及び前記爪先の基部とともに、前記突合せ部を挟んで固定する一組の挟み板を含む請求項９又は１０に記載の魚介類採取具の爪。
【請求項１２】
前記一組の挟み板は、少なくとも３組のボルト及びナットによって前記アーム及び前記爪先を挟んで固定される請求項１１に記載の魚介類採取具の爪。
【請求項１３】
前記連結部材は、前記アームの先端部を受け入れる第１溝と、前記爪先の基部を受け入れる第２溝と、前記第１溝及び前記第２溝に挟まれ、前記突合せ部を挿通する挿通孔とを含む支持部材と、
前記アームの先端部を押えて前記第１溝に固定し、前記爪先の基部を押えて前記第２溝に固定する押え部材と
を含む請求項９又は１０に記載の魚介類採取具の爪。
【請求項１４】
前記押え部材を前記支持部材に固定する少なくとも１組のボルト及びナットをさらに含む請求項１３に記載の魚介類採取具の爪。
【請求項１５】
前記第２曲げ部及び第３曲げ部は、それぞれ略９０°にわたり曲げられた請求項８に記載の魚介類採取具の爪。
【請求項１６】
前記連結部材は、前記第１方向に、前記アームの先端部を受け入れる第１溝、前記第２曲げ部を挿通する第１挿通孔、前記爪先の基部を挿通する第２挿通孔及び前記第３曲げ部を受け入れる第２溝が順に形成された支持面を有する支持部材と、前記アームの先端部を押えて前記第１溝に固定するとともに前記第３曲げ部を押えて前記第２溝に固定する押え部材とを含む請求項１５に記載の魚介類採取具の爪。
【請求項１７】
前記支持部材及び前記押え部材を固定する１組のボルト及びナットをさらに含み、前記ボルトは前記支持部材の支持面において前記第１挿通孔と前記第２挿通孔との間に形成された第３挿通孔に挿通される請求項１６に記載の魚介類採取具の爪。
【請求項１８】
前記連結部材は、前記第２方向に、前記第１方向から前記第２方向に曲がり、前記アームの先端部及び前記第２曲げ部を受け入れる第１溝と、同様に前記第１方向から前記第２方向に曲がり、前記第３曲げ部及び前記爪先の基部を受け入れる第２溝とが順に形成された支持面を有する支持部材と、前記アームの先端部及び前記第２曲げ部を押えて前記第１溝に固定するとともに前記第３曲げ部及び前記爪先の基部を押えて前記第２溝に固定する押え部材とを含む請求項１５に記載の魚介類採取具の爪。
【請求項１９】
前記支持部材及び前記押え部材を固定する１組のボルト及びナットをさらに含み、前記ボルトは前記支持部材の支持面において前記第１溝と前記第２溝との間に形成された挿通孔に挿通される請求項１８に記載の魚介類採取具の爪。
【発明の詳細な説明】
【技術分野】
【０００１】
本発明は、ホタテ貝等を採取する魚介類採取具の爪に関するものである。
【背景技術】
【０００２】
海底下３ｃｍ程の所に生息しているホタテ貝等を漁獲する魚介類採取具として、八尺と呼ばれる大きな熊手状の道具が古くから使われている。図１は、このような八尺２００の一例を示す斜視図である。八尺２００の袋状の網２０１の網口２０３に渡された横棒２０５には、親爪と称される固定爪２０７と子爪と称される可動爪１００とが櫛状に配置されている。固定爪２０７は横棒２０５に固定され、可動爪１００は横棒２０５に着脱可能なように取り付けられている。
【０００３】
以下の本明細書では固定爪２０７と可動爪１００との内で専ら可動爪１００について検討するものとし、可動爪１００のことを魚介類採取具の爪１００と称することにする。図１に示した八尺２００は、引手２０９に取り付けられた図示しない引綱によって海底を引かれ、魚介類採取具の爪１００が海底の土壌を掻き起し、土壌に潜り込んでいるホタテ貝等を袋状の網２０１に採取することができる。
【０００４】
図２は、従来の魚介類採取具の爪の一例を示す斜視図である。魚介類採取具の爪の一例は、基部に魚介類採取具に取り付けるための曲げ部１１２とコイル状の緩衝部１１３が形成され、先端部に曲げ部が形成された弾性金属線材からなるアーム１１０と、海底の土壌を掘り起こすための弾性金属線材からなる爪先１２０と、アーム１１０の先端部の曲げ部と爪先１２０の基部とを挟んで連結する挟み板１３０とを有している（特許文献１、２を参照）。
【先行技術文献】
【特許文献】
【０００５】
【特許文献１】特開２００２−５１６６８号公報
【特許文献２】特開２００４−９７１６１号公報
【発明の概要】
【発明が解決しようとする課題】
【０００６】
ところで、図２に示したような従来の魚介類採取具の爪の一例を用いて海底の土壌に潜り込んでいるホタテ貝を掻き起こすとき、爪先１２０は、土壌により次第に摩耗したり、ホタテ貝が衝突して傷がついて折れるなど破損したりすることがあった。また、アーム１１０の緩衝部１１３は、次第に十分な緩衝作用を果たせないように劣化することがあった。摩耗したり破損したりした爪先１２０や緩衝部１１３が劣化したアーム１１０は、爪先１２０や緩衝部１１３の交換部品にそれぞれ適宜交換していた。このため、魚介類の爪の機能を維持して使用を継続するためには、アーム１１０及び爪先１２０の交換部品を常に一定数用意しておく必要があった。
【０００７】
この発明は、上述の実情に鑑みて提案されるものであって、魚介類の爪の機能を維持するために用意するアーム及び爪先の交換部品の数を低減することを目的とする。
【課題を解決するための手段】
【０００８】
この発明に係る魚介類採取具の爪は、基部から先端部に向けて第１方向に延び、基部が魚介類採取具に取り付けられるアームと、基部から先端部に向けて第２方向に延び、先端部で海底の土壌を掘り起こす爪先と、アームの先端部及び爪先の基部を互いに固定して連結する連結部材とを含み、アーム及び爪先は弾性金属線材からなり、アームの先端部を含む所定部分を切り離して爪先に転用することができるものである。
【０００９】
アームの先端部を含む所定部分は、爪先と同一の形状を有してもよい。アームにおいて基部を含む部分から切り離した先端部を含む所定部分は爪先を形成してもよい。
【００１０】
第１方向及び第２方向は、互いに略９０°の角度をなしてもよい。アームの基部には、魚介類採取具に取り付けるための第１曲げ部が形成されてもよい。
【００１１】
アームの基部には、第１曲げ部から第１方向に隣接して第１方向及び第２方向を含む平面内におけるこの魚介類採取具の角度の変動を緩衝する緩衝部が形成されてもよい。緩衝部は、アームを構成する弾性金属線材がコイル状に形成されてなってもよい。
【００１２】
アームの先端部の端部から所定長さの部分は所定角度にわたり曲げられた第２曲げ部を形成し、爪先の基部の端部から所定長さの部分は所定角度にわたり曲げられた第３曲げ部を形成してもよい。第２曲げ部及び第３曲げ部は、互いに突き合わせられて、第１方向及び第２方向を含む平面内においてアームの基部及び爪先の先端部から離れる方向に平行に延びる突合せ部を形成してもよい。第２曲げ部及び第３曲げ部は、それぞれ略４５°の角度にわたり曲げられてもよい。
【００１３】
連結部材は、アームの先端部及び爪先の基部とともに、突合せ部を挟んで固定する一組の挟み板を含んでもよい。一組の挟み板は、少なくとも３組のボルト及びナットによってアーム及び爪先を挟んで固定されてもよい。
【００１４】
連結部材は、アームの先端部を受け入れる第１溝と、爪先の基部を受け入れる第２溝と、第１溝及び第２溝に挟まれ、突合せ部を挿通する挿通孔とを含む支持部材と、アームの先端部を押えて第１溝に固定し、爪先の基部を押えて第２溝に固定する押え部材とを含んでもよい。押え部材を支持部材に固定する少なくとも１組のボルト及びナットをさらに含んでもよい。
【００１５】
第２曲げ部及び第３曲げ部は、それぞれ略９０°にわたり曲げられてもよい。
【００１６】
連結部材は、第１方向に、アームの先端部を受け入れる第１溝、第２曲げ部を挿通する第１挿通孔、爪先の基部を挿通する第２挿通孔及び第３曲げ部を受け入れる第２溝が順に形成された支持面を有する支持部材と、アームの先端部を押えて第１溝に固定するとともに第３曲げ部を押えて第２溝に固定する押え部材とを含んでもよい。支持部材及び押え部材を固定する１組のボルト及びナットをさらに含み、ボルトは支持部材の支持面において第１挿通孔と第２挿通孔との間に形成された第３挿通孔に挿通されてもよい。
【００１７】
連結部材は、第２方向に、第１方向から第２方向に曲がり、アームの先端部及び第２曲げ部を受け入れる第１溝と、同様に第１方向から第２方向に曲がり、第３曲げ部及び爪先の基部を受け入れる第２溝とが順に形成された支持面を有する支持部材と、アームの先端部及び第２曲げ部を押えて第１溝に固定するとともに第３曲げ部及び爪先の基部を押えて第２溝に固定する押え部材とを含んでもよい。支持部材及び押え部材を固定する１組のボルト及びナットをさらに含み、ボルトは支持部材の支持面において第１溝と第２溝との間に形成された挿通孔に挿通されてもよい。
【発明の効果】
【００１８】
本発明によると、魚介類採取具の爪の機能を維持するために用意する必要があるアーム及び爪先の交換部品の数を低減することができる。
【図面の簡単な説明】
【００１９】
【図１】八尺の一例を示す斜視図である。
【図２】従来の魚介類採取具の爪の一例を示す斜視図である。
【図３】本実施の形態の魚介類採取具の爪を示す図である。
【図４】本実施の形態の魚介類採取具の爪をさらに示す図である。
【図５】第１変形例を示す図である。
【図６】第２変形例を示す図である。
【図７】第３変形例を示す図である。
【図８】第４変形例を示す図である。
【発明を実施するための形態】
【００２０】
以下、本実施の形態に係る魚介類採取具の爪について、図面を参照して詳細に説明する。図３は、本実施の形態の魚介類採取具の爪を示す斜視図である。図３（ａ）は斜視図、図３（ｂ）は分解斜視図である。図４は、本実施の形態の魚介類採取具の爪をさらに示す図である。図４（ａ）は正面図、図４（ｂ）は下面図、図４（ｃ）は右側面図である。
【００２１】
魚介類採取具の爪は、基部１１から先端部１５に向けて第１方向に延びるアーム１０と、基部２１から先端部２５に向けて第２方向に延びる爪先２０と、アーム１０の先端部１５と爪先２０の基部２１とを互いに固定して連結する連結板３０とを有している。第１方向と第２方向とは、互いに略９０°の角度を有している。アーム１０及び爪先２０は、所定径のばね鋼による弾性金属線材から構成されてもよい。連結板３０は、所定厚さの鋼板から構成されてもよい。
【００２２】
アーム１０の基部１１は、魚介類採取具に取り付けるためにアーム１０の一端１０ａが所定の形状に曲げられた第１曲げ部１２を有している。第１曲げ部１２は、この魚介類採取具の爪を魚介類採取具の横棒にボルト及びナットで取り付けるために適した形状であってもよい。
【００２３】
アーム１０の基部１１には、一端１０ａに形成された第１曲げ部１２に隣接して緩衝部１３を有している。緩衝部１３は、第１方向及び第２方向に直交する方向を軸としてアーム１０を構成する弾性金属線材が巻かれたコイルばねによって構成されている。緩衝部１３は、第１方向及び第２方向を含む平面内において魚介類採取具に取り付けられた第１曲げ部１２に対するこの魚介類採取具の爪の角度の変動を緩衝することによって、海底の土壌を掘り起こしてホタテ貝を採取するときにホタテ貝に与える衝撃が和らげ、ホタテ貝の損傷を低減している。
【００２４】
アーム１０の先端部１５は、爪先２０の基部２１と突き合わせるためにアーム１０の先端部１５が他端１０ｂから所定距離にわたって曲げられた第２曲げ部１６を有している。第２曲げ部１６は、第１方向及び第２方向を含む平面内において第１方向から爪先２０から離れる方向に曲げられ、第１方向と略４５°の角度をなしている。
【００２５】
爪先２０の基部２１は、アーム１０の先端部１５と突き合わせるために爪先２０の基部２１が一端２０ａから所定距離にわたって曲げられた第３曲げ部２２を有している。第３曲げ部２２は、第１方向及び第２方向を含む平面内において第２方向からアーム１０から離れる方向に曲げられ、第２方向と略４５°の角度をなしている。
【００２６】
爪先２０において、先端部２５は爪先２０の他端２０ｂまで第２方向に延びている。爪先２０の先端部２５は、海底の土壌を掘り起こし、海底の土壌に潜っているホタテ貝を掻き起すために使用される。
【００２７】
連結板３０は、互いに対向する第１部材３０ａ及び第２部材３０ｂを有し、これら第１部材３０ａ及び第２部材３０ｂでアーム１０の先端部１５と爪先２０の基部２１を挟んで連結する。第１部材３０ａ及び第２部材３０ｂの対向面には、第２曲げ部１６に続くアーム１０の先端部１５を受け入れるための第１溝３１と、第１溝３１とは略９０°の角度を有して延びる、第３曲げ部２２に続く爪先２０の基部２１を受け入れるための第２溝３２が形成されている。また、第１部材３０ａ及び第２部材３０ｂの対向面には、アーム１０の基部１１及び爪先２０の先端部２５から離れる方向に平行に伸びて突合せ部を形成するアーム１０の先端部１５の第２曲げ部１６及び爪先２０の基部２１の第３曲げ部２２を受け入れるための第３溝３３が形成されている。
【００２８】
連結板３０の第１部材３０ａ及び第２部材３０ｂは、第１溝３１に第２曲げ部１６に続くアーム１０の先端部１５を受け入れ、第２溝３２に第３曲げ部２２に続く爪先２０の基部２１を受け入れ、第３溝３３に平行に伸びて突合せ部を形成するアーム１０の先端部１５の第２曲げ部１６及び爪先２０の基部２１の第３曲げ部２２を受け入れ、３組のボルト３８及びナット３９を締結して挟んで固定する。これによって、アーム１０の先端部１５及び爪先２０の基部２１は、互いに略９０°の角度で固定されて連結される。
【００２９】
本実施の形態の魚介類の採取具の爪においては、アーム１０の先端部１５を含む所定長さの部分は、爪先２０と同一の形状を有している。したがって、アーム１０の先端部１５を含む所定長の部分を残してアーム１０の基部１１を含む部分を切り離すことにより、爪先２０を形成することができる。したがって、アーム１０の基部１１の緩衝部１３の緩衝作用が使用により劣化したときには、緩衝部１３が含まれる基部１１を切り離すことにより、残りの先端部１５を含む所定の長さの部分を爪先２０に転用することができる。
【００３０】
本実施の形態の魚介類の採取具の爪においては、爪先２０の先端部２５が使用により摩耗したり折れるなど破損したりしたときには、アーム１０の基部１１を切り離した先端部１５を含む所定長さの部分を爪先２０に転用することができる。したがって、魚介類の採取具の爪を保守するために用意しておく爪先２０の交換部品の数が低減する。また、緩衝部１３の機能が劣化したアーム１０を爪先２０として再利用できるため、資源を有効に活用することができる。アーム１０を切断して爪先２０にする作業は、ユーザによって容易に実施することができる。
【００３１】
また、本実施の形態の魚介類採取具の爪においては、第１部材３０ａ及び第２部材３０ｂの対向面に形成された第３溝３３によって、アーム１０の基部１１及び爪先２０の先端部２５から離れる方向にアーム１０の先端部１５の第２曲げ部１６及び爪先２０の基部２１の第３曲げ部２２が平行に伸びて形成する突合せ部が、第３溝３３によって挟まれて固定されている。したがって、爪先２０の海底を掘り起こすときに先端部２５に発生する抵抗力は、この突合せ部を介してアーム１０に伝えられ、緩衝部１３による緩衝作用が発揮されるとともに、連結板３０に与える負担が低減される。また、アーム１０は先端部１５が連結板３０の第１溝３１とともに先端部１５の第２曲げ部１６が第３溝３３によって固定され、爪先２０は基部２１が第２溝３２とともに基部２１の第３曲げ部２２が第３溝３３によって固定されているため、連結板３０の第１部材３０ａ及び第２部材３０ｂを締結するボルト２８及びナット３９が緩んで隙間ができたときにも、連結板３０からアーム１０又は爪先２０の脱落を防止することができる。
【００３２】
さらに、本実施の形態の魚介類採取具の爪においては、連結板３０の第１部材３０ａ及び第２部材３０ｂは、３組のボルト３８及びナット３９を締結することにより固定されている。第１部材３０ａ及び第２部材３０ｂは、１〜２組のボルト３８及びナット３９が脱落しても、残りの２〜１組のボルト３８及びナット３９によって締結が維持される。したがって、魚介類の採取具の爪を使用するときには、一部のボルト３８及びナット３９の脱落にかかわらず、アーム１０の先端部１５及び爪先２０の基部２１を互いに固定して連結する連結板３０の機能を確保することができる。
【００３３】
図５は、第１変形例の魚介類採取具の爪を示す図である。図５（ａ）は斜視図、図５（ｂ）は分解斜視図である。第１変形例の魚介類採取具の爪は、連結板３０の第１部材３０ａ及び第２部材３０ｂを固定するために５組のボルト３８及びナット３９が使用されている点において、３組のボルト３８及びナット３９が使用されていた図３及び第４に示した本実施の形態の魚介類採取具の爪と相違している。他は同様の構成を有しているため、対応する構成要素には本実施の形態の魚介類の採取具の爪と同様の符号を用いて対応関係を示すことにする。
【００３４】
第１変形例の魚介類採取具の爪においては、連結板３０の第１部材３０ａ及び第２部材３０ｂは、５組のボルト３８及びナット３９を締結することにより固定されている。第１部材３０ａ及び第２部材３０ｂは、１〜４組のボルト３８及びナット３９が脱落しても、残りの４〜１組のボルト３８及びナット３９によって締結が維持される。したがって、魚介類の採取具の爪を使用するときには、一部のボルト３８及びナット３９の脱落にからわらず、アーム１０の先端部１５及び爪先２０の基部２１を互いに固定して連結する連結板の機能を確保することができる。本実施の形態の連結板３０が３組のボルト３８及びナット３９を有していたのに対し、第１変形例の連結板３０は５組のボルト３８及びナット３９を有している。したがって、第１変形例の連結板３０はボルト３８及びナット３９の脱落に対してさらに余裕があり、第１変形例の魚介類の採取具の爪の長時間にわたる確実な稼働を保証することができる。
【００３５】
第１変形例の魚介類採取具の爪においても、本実施の形態の魚介類採取具の爪と同様に、爪先２０の先端部２５が使用により摩耗したり折れるなど破損したりしたときには、アーム１０の基部１１を切り離した先端部１５を含む所定長さの部分を爪先２０に転用することができる。したがって、魚介類の採取具の爪を保守するために用意しておく爪先２０の交換部品の数が低減されるとともに、アーム１０を爪先２０として再利用できるため資源を有効に活用することができる。第１変形例の魚介類採取具の爪の他の効果についても、本実施の形態の魚介類採取具の爪と同様である。
【００３６】
図６は、第２変形例の魚介類採取具の爪を示す図である。図６（ａ）は斜視図、図６（ｂ）は分解斜視図である。第２変形例の魚介類採取具の爪は、アーム１０の先端部１５と爪先２０の基部２１を互いに固定して連結するためにカバー部材４１及び押え部材４２を含む連結部材４０が用いられている点において、連結板３０が用いられていた本実施の形態及び第１変形例の魚介類採取具の爪と相違している。他は同様の構成を有しているため、対応する構成要素には本実施の形態の魚介類の採取具の爪と同様の符号を用いて対応関係を示すことにする。
【００３７】
第２変形例の魚介類採取具の爪は、基部１１から先端部１５に向けて第１方向に延びるアーム１０と、基部２１から先端部２５に向けて第２方向に延びる爪先２０と、アーム１０の先端部１５と爪先２０も基部２１とを互いに固定して連結するカバー部材４１及び押え部材４２を含む連結部材４０とを有している。第１方向と第２方向とは、互いに略９０°の角度を有している。カバー部材４１は鉄などの金属を鍛造して作製してもよく、押え部材４２には鋼板を使用してもよい。
【００３８】
カバー部材４１は、第２曲げ部１６に続くアーム１０の先端部１５を受け入れるための第１溝４３と、第１方向及び第２方向を含む平面内で第１溝４３とは略９０°の角度を有して延び、第３曲げ部２２に続く爪先２０の基部２１を受け入れるための第２溝４４が形成されている。また、第１溝４３と第２溝４４との間に、アーム１０の基部１１及び爪先２０の先端部２５から離れる方向に平行に伸びて突合せ部を形成するアーム１０の先端部１５の第２曲げ部１６及び爪先２０の基部２１の第３曲げ部２２を受け入れるための挿通孔４５が形成されている。そして、突合せ部からアーム１０の先端部１５及び爪先２０の基部２１を覆うように第１方向及び第２方向を含む平面の方向に所定半径の略四半円に延長されたカバー４６が形成されている。
【００３９】
押え部材４２は、カバー部材４１の挿通孔４５にアーム１０の先端部１５の第２曲げ部１６及び爪先２０の基部２１の第３曲げ部２２が平行に伸びる突合せ部が挿通されたアーム１０及び爪先２０について、第１側面４２ａで第２曲げ部１６に続くアーム１０の先端部１５を押えてカバー部材４１の第１溝４３に固定し、第２側面４２ｂで第３曲げ部２２に続く爪先２０の基部２１を押えてカバー部材４１の第２溝４４に固定し、カバー部材４１のカバー４６及び押え部材４２の略中央に形成された挿通孔４７に１組のボルト及びナット４８を挿通して締結する。これによって、アーム１０の先端部１５及び爪先２０の基部２１は、互いに略９０°の角度で固定されて連結される。
【００４０】
第２変形例の魚介類の採取具の爪においては、カバー部材４１及び押え部材４２を用いて、アーム１０の先端部１５及び爪先２０の基部２１を一組のボルト及びナット４８によって固定して連結することができる。したがって、第２変形例の魚介類の採取具の爪においては、アーム１０及び爪先２０を連結する際に締結する作業が一組のボルト及びナット４８で足りるため、ユーザの負担が軽減される。このことは、多数の魚介類の採取具の爪を取り付けた八尺を保守する際に、締結する作業が必要なボルト及びナットの数が低減されるため、特に実益がある。
【００４１】
第２変形例の魚介類採取具の爪においても、本実施の形態の魚介類採取具の爪と同様に、爪先２０の先端部２５が使用により摩耗したり折れるなど破損したりしたときには、アーム１０の基部１１を切り離した先端部１５を含む所定長さの部分を爪先２０に転用することができる。したがって、魚介類の採取具の爪を保守するために用意しておく爪先２０の交換部品の数が低減されるとともに、アーム１０を爪先２０として再利用できるため資源を有効に活用することができる。第２変形例の魚介類採取具の爪の他の効果についても、本実施の形態の魚介類採取具の爪と同様である。
【００４２】
図７は、第３変形例の魚介類採取具の爪を示す図である。図７（ａ）は斜視図、図７（ｂ）は分解斜視図である。第３変形例の魚介類採取具の爪は、アーム１０の先端部１５の第２曲げ部１６がアーム１０の他端１０ｂから所定長さの部分が第１方向から第２方向に略９０°にわたり曲げられ、同様に爪先２０の基部２１の第３曲げ部２２が爪先２０の一端２０ａから所定長さの部分が第２方向から略９０°の角度にわたり曲げられている点において、第２曲げ部１６及び第３曲げ部２２がアーム１０の伸びる第１方向及び爪先２０が延びる第２方向からそれぞれ略４５°の角度にわたり曲げられていた本実施の形態、第１変形例及び第２変形例の魚介類採取具の爪と相違している。また、アーム１０の先端部１５と爪先２０の基部２１を互いに固定して連結するために支持部材５１及び押え部材５２を含む連結部材５０が用いられている点において、連結板３０が用いられていた本実施の形態及び第１変形例の魚介類採取具の爪と相違している。他は同様の構成を有しているため、対応する構成要素には本実施の形態の魚介類の採取具の爪と同様の符号を用いて対応関係を示すことにする。
【００４３】
第３変形例の魚介類採取具の爪は、基部１１から先端部１５に向けて第１方向に延びるアーム１０と、基部２１から先端部２５に向けて第２方向に延びる爪先２０と、アーム１０の先端部１５と爪先２０も基部２１とを互いに固定して連結する支持部材５１及び押え部材５２を含む連結部材５０とを有している。第１方向と第２方向とは、互いに略９０°の角度を有している。支持部材５１は鉄などの金属を鍛造して作製してもよく、押え部材５２には鋼板を使用してもよい。
【００４４】
支持部材５１は、第１方向に、第２曲げ部１６に続くアーム１０の先端部１５を受け入れるための第１溝５４と、第２曲げ部１６を挿通する第１挿通孔５５と、第３曲げ部２２に続く爪先２０の基部２１を挿通する第２挿通孔５６と、第３曲げ部２２を受け入れるための第２溝部５７とが順に形成された支持面５３を有している。
【００４５】
押え部材５２は、支持部材５１の支持面５３の第１溝５４に第２曲げ部１６に続くアーム１０の先端部１５を押えて固定し、第１挿通孔５５に第２曲げ部１６を挿通し、第２挿通孔５６に第３曲げ部２２に続く爪先２０の基部２１を挿通し、第２溝部５７に第３曲げ部２２を押えて固定するように、押え部材５２及び支持部材５１の支持面５３において第１挿通孔５５及び第２挿通孔５６の間に挿通された第３挿通孔５８に一組のボルト及びナット５９を挿通して締結する。これによって、アーム１０の先端部１５及び爪先２０の基部２１は、互いに略９０°の角度で固定されて連結される。ここで、押え部材６２のフランジ５２ａが支持部材５１の両側面を挟み、押え部材５２の支持部材５１の支持面５３に沿った動きを阻止する。
【００４６】
第３変形例の魚介類の採取具の爪においては、支持部材５１及び押え部材５２を用いて、アーム１０の先端部１５及び爪先２０の基部２１を一組のボルト及びナット５９によって固定して連結することができる。したがって、第３変形例の魚介類の採取具の爪においては、アーム１０及び爪先２０を連結する際に締結する作業が一組のボルト及びナット５９で足りるため、ユーザの負担が軽減される。このことは、多数の魚介類の採取具の爪を取り付けた八尺を保守する際に、締結する作業が必要なボルト及びナットの数が低減されるため、特に実益がある。
【００４７】
第３変形例の魚介類採取具の爪においても、本実施の形態の魚介類採取具の爪と同様に、爪先２０の先端部２５が使用により摩耗したり折れるなど破損したりしたときには、アーム１０の基部１１を切り離した先端部１５を含む所定長さの部分を爪先２０に転用することができる。したがって、魚介類の採取具の爪を保守するために用意しておく爪先２０の交換部品の数が低減されるとともに、アーム１０を爪先２０として再利用できるため資源を有効に活用することができる。第３変形例の魚介類採取具の爪の他の効果についても、本実施の形態の魚介類採取具の爪と同様である。
【００４８】
図８は、第４変形例の魚介類採取具の爪を示す図である。図８（ａ）は斜視図、図８（ｂ）は分解斜視図である。第４変形例の魚介類採取具の爪は、第３変形例の魚介類の採取具の爪と同様に、アーム１０の先端部１５の第２曲げ部１６がアーム１０の他端１０ｂから所定長さの部分が第１方向から第２方向に略９０°にわたり曲げられ、同様に爪先２０の基部２１の第３曲げ部２２が爪先２０の一端２０ａから所定長さの部分が第２方向から略９０°の角度にわたり曲げられている点において、第２曲げ部１６及び第３曲げ部２２がアーム１０の伸びる第１方向及び爪先２０が延びる第２方向からそれぞれ略４５°の角度にわたり曲げられていた本実施の形態、第１変形例及び第２変形例の魚介類採取具の爪と相違している。また、アーム１０の先端部１５と爪先２０の基部２１を互いに固定して連結するために支持部材６１及び押え部材６２を含む連結部材６０が用いられている点において、連結板３０が用いられていた本実施の形態及び第１変形例の魚介類採取具の爪と相違している。他は同様の構成を有しているため、対応する構成要素には本実施の形態の魚介類の採取具の爪と同様の符号を用いて対応関係を示すことにする。
【００４９】
第４変形例の魚介類採取具の爪は、基部１１から先端部１５に向けて第１方向に延びるアーム１０と、基部２１から先端部２５に向けて第２方向に延びる爪先２０と、アーム１０の先端部１５と爪先２０も基部２１とを互いに固定して連結する支持部材６１及び押え部材６２を含む連結部材６０とを有している。第１方向と第２方向とは、互いに略９０°の角度を有している。支持部材６１は鉄などの金属を鍛造して作製してもよく、押え部材６２には鋼板を使用してもよい。
【００５０】
支持部材６１は、第２方向に、第１方向から第２方向に曲がり、アーム１０の第２曲げ部１６に続く先端部１５及び第２曲げ部１６を受け入れる第１溝６４と、同様に第１方向から第２方向に曲がり、爪先２０の第３曲げ部２２及び爪先２０の第３曲げ部２２に続く基部２１を受け入れる第２溝６５とが順に形成された支持面６３を有している。
【００５１】
押え部材６２は、支持部材６１の支持面６３の第１溝６４にアーム１０の第２曲げ部１６に続く先端部１５及び第２曲げ部１６を押えて固定し、第２溝６５に爪先２０の第３曲げ部２２及び爪先２０の第３曲げ部２２に続く基部２１を押えて固定するように、押え部材６２及び支持部材６１の支持面６３において第１溝６４及び第２溝６５の間に挿通された挿通孔６７に一組のボルト及びナット６８を挿通して締結する。これによって、アーム１０の先端部１５及び爪先２０の基部２１は、互いに略９０°の角度で固定されて連結される。ここで、支持部材６１の支持面６３に形成された複数の突起部６６は、押え部材６２に形成された対応する複数の孔６９に嵌合して固定され、押え部材６２の支持部材６１の支持面６３に沿った動きを阻止する。
【００５２】
第４変形例の魚介類の採取具の爪においては、支持部材６１及び押え部材６２を用いて、アーム１０の先端部１５及び爪先２０の基部２１を一組のボルト及びナット６８によって固定して連結することができる。したがって、第４変形例の魚介類の採取具の爪においては、アーム１０及び爪先２０を連結する際に締結する作業が一組のボルト及びナット６８で足りるため、ユーザの負担が軽減される。このことは、多数の魚介類の採取具の爪を取り付けた八尺を保守する際に、締結する作業が必要なボルト及びナットの数が低減されるため、特に実益がある。
【００５３】
第４変形例の魚介類採取具の爪においても、本実施の形態の魚介類採取具の爪と同様に、爪先２０の先端部２５が使用により摩耗したり折れるなど破損したりしたときには、アーム１０の基部１１を切り離した先端部１５を含む所定長さの部分を爪先２０に転用することができる。したがって、魚介類の採取具の爪を保守するために用意しておく爪先２０の交換部品の数が低減されるとともに、アーム１０を爪先２０として再利用できるため資源を有効に活用することができる。第４変形例の魚介類採取具の爪の他の効果についても、本実施の形態の魚介類採取具の爪と同様である。
【符号の説明】
【００５４】
１０  アーム
１１  基部
１２  第１曲げ部
１３  緩衝部
１５  先端部
１６  第２曲げ部
２０  爪先
２１  基部
２２  第３曲げ部
２５  先端部
３０  連結板
【図１】
2020130004.tif 000003
【図２】
2020130004.tif 000004
【図３】
2020130004.tif 000005
【図４】
2020130004.tif 000006
【図５】
2020130004.tif 000007
【図６】
2020130004.tif 000008
【図７】
2020130004.tif 000009
【図８】
2020130004.tif 000010
【手続補正書】
【提出日】令和1年6月18日(2019.6.18)
【手続補正１】
【補正対象書類名】特許請求の範囲
【補正対象項目名】全文
【補正方法】変更
【補正の内容】
【特許請求の範囲】
【請求項１】
魚介類採取具の爪であって、
基部から先端部に向けて第１方向に延び、前記基部が魚介類採取具に取り付けられるアームと、
基部から先端部に向けて第２方向に延び、前記先端部で海底の土壌を掘り起こす爪先と、
前記アームの先端部及び前記爪先の基部を互いに固定して連結する連結部材と
を含み、
前記アーム及び前記爪先は弾性金属線材からなり、前記アームの先端部を含む所定部分を切り離して前記爪先に転用することができ、
前記アームの先端部の端部から所定長さの部分は所定角度にわたり曲げられた第２曲げ部を形成し、前記爪先の基部の端部から前記所定長さの部分は前記所定角度にわたり曲げられた第３曲げ部を形成する魚介類採取具の爪。
【請求項２】
前記アームの先端部を含む所定部分は、前記爪先と同一の形状を有する請求項１に記載の魚介類採取具の爪。
【請求項３】
前記アームにおいて前記基部を含む部分から切り離した先端部を含む所定部分は前記爪先を形成する請求項１又は２に記載の魚介類採取具の爪。
【請求項４】
前記第１方向及び前記第２方向は、互いに略９０°の角度をなす請求項１から３のいずれかに記載の魚介類採取具の爪。
【請求項５】
前記アームの基部には、魚介類採取具に取り付けるための第１曲げ部が形成された請求項１から４のいずれかに記載の魚介類採取具の爪。
【請求項６】
前記アームの基部には、前記第１曲げ部から前記第１方向に隣接して前記第１方向及び前記第２方向を含む平面内におけるこの魚介類採取具の角度の変動を緩衝する緩衝部が形成された請求項５に記載の魚介類採取具の爪。
【請求項７】
前記緩衝部は、前記アームを構成する弾性金属線材がコイル状に形成されてなる請求項６に記載の魚介類採取具の爪。
【請求項８】
前記第２曲げ部及び前記第３曲げ部は、互いに突き合わせられて、前記第１方向及び前記第２方向を含む平面内において前記アームの基部及び前記爪先の先端部から離れる方向に平行に延びる突合せ部を形成する請求項１に記載の魚介類採取具の爪。
【請求項９】
前記第２曲げ部及び前記第３曲げ部は、それぞれ略４５°の角度にわたり曲げられた請求項８に記載の魚介類採取具の爪。
【請求項１０】
前記連結部材は、前記アームの先端部及び前記爪先の基部とともに、前記突合せ部を挟んで固定する一組の挟み板を含む請求項８又は９に記載の魚介類採取具の爪。
【請求項１１】
前記一組の挟み板は、少なくとも３組のボルト及びナットによって前記アーム及び前記爪先を挟んで固定される請求項１０に記載の魚介類採取具の爪。
【請求項１２】
前記連結部材は、前記アームの先端部を受け入れる第１溝と、前記爪先の基部を受け入れる第２溝と、前記第１溝及び前記第２溝に挟まれ、前記突合せ部を挿通する挿通孔とを含む支持部材と、
前記アームの先端部を押えて前記第１溝に固定し、前記爪先の基部を押えて前記第２溝に固定する押え部材と
を含む請求項８又は９に記載の魚介類採取具の爪。
【請求項１３】
前記押え部材を前記支持部材に固定する少なくとも１組のボルト及びナットをさらに含む請求項１２に記載の魚介類採取具の爪。
【請求項１４】
前記第２曲げ部及び第３曲げ部は、それぞれ略９０°にわたり曲げられた請求項１に記載の魚介類採取具の爪。
【請求項１５】
前記連結部材は、前記第１方向に、前記アームの先端部を受け入れる第１溝、前記第２曲げ部を挿通する第１挿通孔、前記爪先の基部を挿通する第２挿通孔及び前記第３曲げ部を受け入れる第２溝が順に形成された支持面を有する支持部材と、前記アームの先端部を押えて前記第１溝に固定するとともに前記第３曲げ部を押えて前記第２溝に固定する押え部材とを含む請求項１４に記載の魚介類採取具の爪。
【請求項１６】
前記支持部材及び前記押え部材を固定する１組のボルト及びナットをさらに含み、前記ボルトは前記支持部材の支持面において前記第１挿通孔と前記第２挿通孔との間に形成された第３挿通孔に挿通される請求項１５に記載の魚介類採取具の爪。
【請求項１７】
前記連結部材は、前記第２方向に、前記第１方向から前記第２方向に曲がり、前記アームの先端部及び前記第２曲げ部を受け入れる第１溝と、同様に前記第１方向から前記第２方向に曲がり、前記第３曲げ部及び前記爪先の基部を受け入れる第２溝とが順に形成された支持面を有する支持部材と、前記アームの先端部及び前記第２曲げ部を押えて前記第１溝に固定するとともに前記第３曲げ部及び前記爪先の基部を押えて前記第２溝に固定する押え部材とを含む請求項１４に記載の魚介類採取具の爪。
【請求項１８】
前記支持部材及び前記押え部材を固定する１組のボルト及びナットをさらに含み、前記ボルトは前記支持部材の支持面において前記第１溝と前記第２溝との間に形成された挿通孔に挿通される請求項１７に記載の魚介類採取具の爪。